(57)【特許請求の範囲】
【請求項１】
加熱器と、前記加熱器によって給水を温水に加熱する熱交換器と、前記熱交換器に水を供給する給水路と、前記給水路上に設け、給水流量を検知する水量検知部と、前記熱交換器から温水を排出する出湯路と、前記出湯路上に設けて、温水温度を検知する出湯温度検知部と、前記出湯路上に設け、温水の流量を制御する水量制御手段と、温水の温度を任意に設定できる出湯温度設定手段と、機器の運転の状態に応じて、前記水量制御手段の開度を調整し、かつ機器の運転が停止した際、前記水量制御手段を所定時間閉駆動し、その開度を所定量閉じる開度調整手段と、前記停止した機器の運転が再開されても、前記水量制御手段の所定量閉じた開度を保つ開度保持手段と、前記水量制御手段の開度を所定時間保持した後、前記保持を解除する解除手段を備え、前記解除手段は、出湯温度検知部と、出湯温度設定手段で設定した設定温度からの信号を受信し、出湯温度と設定温度の偏差が所定以内に入った場合、前記水量制御手段の開度保持を解除する給湯器。
【発明の詳細な説明】
【０００１】
【発明の属する技術分野】
本発明は、給湯器の再出湯に関するものである。
【０００２】
【従来の技術】
図３は、従来の給湯器の構成図である。図３において、水は、給水回路１より水量検知部２を通り、熱交換器３により熱を吸収し、温水となり出湯路４より出湯温度検知部５、水量制御手段６を通り排出される。
【０００３】
水量検知部２に水量信号が入ると、加熱器７は加熱を開始し、出湯温度設定手段１１にて設定される設定温度になるようにその能力を調整する。
【０００４】
【発明が解決しようとする課題】
しかしながら、一般に出湯温度が設定温度になるのに時間がかかり、上記のような構成では、シャワー使用時等、給湯の使用を断続的に行うような場合の再出湯時には、しばらく設定温度よりも低い温水が流れてしまうこと（以下、前冷えと呼ぶ）になり、使い勝手が非常に悪い。
【０００５】
【課題を解決するための手段】
本発明の給湯器は、上記課題を解決するもので、加熱器と、前記加熱器によって給水を温水に加熱する熱交換器と、前記熱交換器に水を供給する給水路と、前記給水路上に設け、給水流量を検知する水量検知部と、前記熱交換器から温水を排出する出湯路と、前記出湯路上に設けて、温水温度を検知する出湯温度検知部と、前記出湯路上に設け、温水の流量を制御する水量制御手段と、温水の温度を任意に設定できる出湯温度設定手段と、機器の運転の状態に応じて、前記水量制御手段の開度を調整し、かつ機器の運転が停止した際、前記水量制御手段を所定時間閉駆動し、その開度を所定量閉じる開度調整手段と、前記停止した機器の運転が再開されても、前記水量制御手段の所定量閉じた開度を保つ開度保持手段と、前記水量制御手段の開度を所定時間保持した後、前記保持を解除する解除手段を備え、前記解除手段は、出湯温度検知部と、出湯温度設定手段で設定した設定温度からの信号を受信し、出湯温度と設定温度の偏差が所定以内に入った場合、前記水量制御の開度保持を解除することにより、再出湯時に流れる温水の流量を抑え、また、その水量制御手段の開度をしばらく保持することにより、再出湯時の温水の温度の立ち上がりを早くしようとしたものである。これにより、前冷えに対して優れた性能の給湯器が得られる。
【０００６】
【発明の実施の形態】
本発明の請求項１に記載の発明は、加熱器と、前記加熱器によって給水を温水に加熱する熱交換器と、前記熱交換器に水を供給する給水路と、前記給水路上に設け、給水流量を検知する水量検知部と、前記熱交換器から温水を排出する出湯路と、前記出湯路上に設けて、温水温度を検知する出湯温度検知部と、前記出湯路上に設け、温水の流量を制御する水量制御手段と、温水の温度を任意に設定できる出湯温度設定手段と、機器の運転の状態に応じて、前記水量制御手段の開度を調整し、かつ機器の運転が停止した際、前記水量制御手段を所定時間閉駆動し、その開度を所定量閉じる開度調整手段と、前記停止した機器の運転が再開されても、前記水量制御手段の所定量閉じた開度を保つ開度保持手段と、前記水量制御手段の開度を所定時間保持した後、前記保持を解除する解除手段を備え、前記解除手段は、出湯温度検知部と、出湯温度設定手段で設定した設定温度からの信号を受信し、出湯温度と設定温度の偏差が所定以内に入った場合、前記水量制御の開度保持を解除する給湯器である。
【０００７】
そして、給湯の断続的な使用の再出湯時においても、前冷えが押さえられるので、使い勝手が向上する。
【０００８】
【実施例】
本発明の実施例を図面に基づき説明する。
【０００９】
（実施例１）
図１は、請求項４記載の発明に対応した実施例の構成図である。図において、給湯使用時、水は給水回路１より水量検知部２を通り、熱交換器３により熱を吸収し、温水となり出湯路４より出湯温度検知部５、水量制御手段６を通り排出される。
【００１０】
水量検知部２に水量信号が入ると、加熱器７は加熱を開始し、出湯温度設定手段１１にて設定される設定温度になるようにその能力を調整する。
【００１１】
水量検知部２の水量信号がなくなると、加熱器７は加熱を停止し、水量制御手段６は、再出湯時に流れる出湯量を抑えるために、再出湯に備え、あらかじめその開度を所定量閉じる。
【００１２】
そして再び、水量検知部２に水量信号が入ると、水量制御手段６の開度をそのまま所定時間保った後、水量制御保持解除手段２１により水量制御手段６の開度保持を解除する。
【００１３】
（実施例２）
図２は、請求項５記載の発明に対応した実施例の構成図である。図２において、給湯使用時、水は給水回路１より水量検知部２を通り、熱交換器３により熱を吸収し、温水となり出湯路４より出湯温度検知部５、水量制御手段６を通り排出される。
【００１４】
水量検知部２に水量信号が入ると、加熱器７は加熱を開始し、出湯温度設定手段１１にて設定される設定温度になるようにその能力を調整する。
【００１５】
水量検知部２の水量信号がなくなると、加熱器７は加熱を停止し、水量制御手段６は、再出湯時に流れる給水量を抑えるため再出湯に備え、あらかじめその開度を所定量閉じる。
【００１６】
そして再び、水量検知部２に水量信号が入ると、設定温度出湯温度比較手段２４は、出湯温度検知部５と、出湯温度設定手段１１で設定した設定温度からの信号を受信し、出湯温度と設定温度の偏差が所定以内に入った場合、水量制御保持解除手段２１により水量制御手段６の開度保持を解除する。
【００１７】
【発明の効果】
以上の説明から明かのように本発明における給湯器は、機器の運転停止時に、予め水量制御手段の開度を調整することにより、再出湯時に流れる温水の流量を抑え、また、その水量制御手段の開度をしばらく保持することにより、再出湯時の温水の温度の立ち上がりを早くすることができる。そしてまたこれにより、前冷えを抑えシャワー使用時など給湯の断続的な使用時においても、使い勝手の良い給湯器が得られる。
【図面の簡単な説明】
【図１】  本発明の実施例１の給湯器の構成図
【図２】  本発明の実施例２の給湯器の構成図
【図３】  従来の給湯器の構成図
【符号の説明】
１  給水路
２  水量検知部
３  熱交換器
４  出湯路
５  出湯温度検知部
６  水量制御手段
７  加熱器
１１  出湯温度設定手段
２１  開度調整手段
２２  開度保持手段
２３  開度保持解除手段
２４  設定温度出湯温度比較手段
【図１】
0003941204.tif 000002
【図２】
0003941204.tif 000003
【図３】
0003941204.tif 000004